Podtech/llm-jp-corpus-v4-ja_patent huggingface dataset:
(57)【要約】      （修正有）【課題】凹凸の多い複雑容器のガス等のシールに液体を使用する。【解決手段】油により気体のシールを計る。まずＡ液を注入し、沈殿後Ｂ液を注入する。Ａ液：水に活性炭を１〜５０％、塩１〜２％、酸化チタン０．５〜２％を混合したもの。Ｂ液：扁平状で小比重の木の葉、木ぎれ、コルク、紙、蕎麦殻、発泡スチロール等のプラスチック及び菜種の油取りカス等を０．５〜３０％液体に入れ混合したもの。液体は、樹の油、パラフィン液、ボラゾール、シボラン、ペンタボラン、植物の種子油、動物油及び檜油等小比重の液体。【選択図】図１
2005118519.tif 000002
【特許請求の範囲】
【請求項１】
便槽容器、悪臭容器から発散する気体シールである。まずＡ液を注入し、沈殿後Ｂ液を注入する。
Ａ液には、水に活性炭（木、竹、蕎麦、ヤシ殻、麹、紙を原料としたもの）を１〜５０％、塩１〜２％、酸化チタンを０．５〜２％を混合したもの。
Ｂ液には、扁平状で小比重の木の葉、木ぎれ、コルク、紙、蕎麦殻、発泡スチロール等のプラスチック及び菜種の油取りカス等を０．５〜３０％液体に入れ混合したもの。液体は、樹の油、パラフィン液、ボラゾール、シボラン、ペンタボラン、植物の種子油、動物油及び香りの高い檜油等、小比重の液体を使用し、アルキメデスの原理も応用した非常に複雑形状をした容器である便器下等のシールと使用するシール剤。
液体、幕の厚みが厚い必要の場合、使用後の油を使う。
【発明の詳細な説明】
【発明の詳細な説明】
【産業上の利用分野】
【０００１】環境事業に関する。
【背景技術】
【０００２】従来、消臭は、分解法による。
【発明が解決しようとする課題】
【０００３】凹凸の多い複雑容器のガス等のシールには、液体を使うのが良い。完全シールを必要とするシール剤の開発をする。
シール幕が切れてもすぐにつながるＢＢ液にする。
【課題を解決するための手段】
【０００４】次の手段をとる。
１）液体の中に入り、第１次的役割を果たす材料に植物の炭を選ぶ。
２）耐久性増大のため、油で蓋をする。
３）油幕の厚みを永く確保するため、穀物の質を変え目的に合わせる。穀物の殻も捨てるものを使う。
４）油も天ぷら等に使用済みの古油も使う。
【作用】
【０００５】便所の臭い等については、ヤシ殻活性炭の短期消臭作用する。また、完全シールは油のため、複雑形状にも作用し隙間を防ぐ。
【実施例】
【０００６】ヤシ殻活性炭を５０ｇ（０．５〜２ミリ粒）、２価鉄白粉１．５ｇ、水道水４５０ｇをＡ液とし、汲み取り式便所の便槽に入れ、数分後Ｂ液を入れた。Ｂ液は、天ぷら油の１回使用後油１５０ｇに菜種油を絞り取り、粕（皮の部分）を１５ｇ混合したもの。
図１は、便槽内にＡ、Ｂ液を入れた状態を示す。【０００７】籾（米入り品）を発泡、乾燥したもの１００ｇに菜種油２００ｇを混合しＢ液を作り、Ａ液なしでゴミ処理の臭いの強い容器の中に入れた結果、臭いは外に出なかった。また、魚処理場で大バケツの中に入れた頭、骨等の強い臭いは出なかった。光の当たる場所への酸化チタンは良いが、地下室では本方法が可。【０００８】籾殻炭１００ｇを水と混ぜ、泥状の散布し、充分沈んだ後に、蕎麦殻をアイロンで扁平乾燥したものを３０ｇ、菜種油２００ｇに混ぜ散布した下水処理場の強烈な臭いを止めた。メタンガス等のシールもできた。
【発明の効果】
【０００９】  １）Ａ液内に入れる一時消臭剤等は、短期間効果のでるもので良いから安価になる。
２）Ｂ液の油層は容器が複雑形状でも隅々まで完全シールするので、汲み取り部を下にすると、補充Ａ液が少なく長期間安価で臭い等は止まる。
３）航空機、電車等の乗物の他、仮設トイレ、下水、ゴミ処理場多くに使用でき、材料が１００％天然で無害、しかも廃却品再利用によるもの多い。死体臭容器他、化学薬品容器にも使える。
４）材料の選択、寸法により、油層寸法調整が可能。
５）臭い以外のガスシール等にも良い。
６）天ぷら・フライ等に数多く使用後の菜種油は粘度管理で使用できる。
【図面の簡単な説明】
【図１】  本発明のＡ、Ｂ液を便槽内に入れた状態を示す断面図である。
【図１】
2005118519.tif 000003
(57)【要約】【課題】患者の鼻に糜爛が発現しにくいカテーテル用固定用具を提供する。【解決手段】カテーテル脱着部材２を備えたカテーテル固定部３がカテーテルを固定してＵ字型装着部１に一体的に設けられている。カテーテル固定部３およびＵ字型装着部１は変形可能な金属を内蔵したシリコーンゴム製若しくは樹脂製であり、Ｕ字型装着部１は左小鼻４の外側の皮膚に接する側の方が左小鼻４の内側の皮膚に接する側よりも長くなっており、そのＵ字型装着部を左小鼻４に装着することでカテーテルが鼻に固定されている。これにより、使用する粘着テープを従来よりも小さくすることが可能となる。また糜爛が発現しそうになったら、装着箇所を右小鼻５に変更することにより、糜爛の発現を未然に防ぐことが出来る。またカテーテル固定部３により、カテーテルを鼻周辺の皮膚に接触させることなく固定できるので、鼻周辺の皮膚に糜爛が発現することを防ぐことができる。【選択図】図１
2005118204.tif 000002
【特許請求の範囲】
【請求項１】
栄養カテーテルを患者の鼻に固定する前記カテーテル用固定用具であって、前記患者の鼻中隔若しくは小鼻に装着するＵ字型装着部と、前記装着部に一体化された少なくとも１つ以上の前記カテーテル脱着部材を備えた前記カテーテル固定部と、を具備し、前記Ｕ字型装着部はその両端部の長さが同一であるか若しくは一方の端部が他方の端部よりも長いものであることを特徴とする、前記カテーテル用固定用具。
【請求項２】
前記Ｕ字型装着部および前記カテーテル固定部は、変形可能な金属が内蔵されていることを特徴とする請求項１記載のカテーテル用固定用具。
【発明の詳細な説明】
【技術分野】
【０００１】
この発明は、栄養カテーテルを患者の鼻に固定するために用いるカテーテル用固定用具に関する。
【背景技術】
【０００２】
従来の栄養カテーテルの固定は、図２に示すように、粘着テープで患者の鼻を広く覆うものである。
【発明の開示】
【発明が解決しようとする課題】
【０００３】
しかしながら、以上の技術によれば、長時間の装着とカテーテルの揺れにより、患者の鼻の広範囲におよぶ粘着テープ当接部および鼻周辺のカテーテル接触部に糜爛が発現した。
そこで、この発明は、患者の鼻に糜爛が発現しにくいカテーテル用固定用具を提供することを課題とする。
【課題を解決するための手段】
【０００４】
以上の課題を解決するために、第一発明は、患者の鼻中隔若しくは小鼻に装着するＵ字型装着部と、前記Ｕ字型装着部に一体化された少なくとも１つ以上のカテーテル脱着部材を備えた前記カテーテル固定部と、を具備し、前記Ｕ字型装着部はその両端部の長さが同一であるか若しくは一方の端部が他方の端部よりも長い、前記カテーテル用固定用具である。
また、第二発明は、患者の鼻に装着するＵ字型装着部およびカテーテル固定部は、変形可能な金属が内蔵されていることを特徴とするカテーテル用固定用具である。
【発明の効果】
【０００５】
第一発明によれば、患者の鼻中隔若しくは小鼻に装着するＵ字型装着部と、Ｕ字型装着部に一体化され、少なくとも１つ以上のカテーテル脱着部材を備えたカテーテル固定部とにより、カテーテルが患者の鼻に固定されるので、使用する粘着テープを従来よりも小さくすることが可能となり、糜爛が出現する範囲も従来より狭くなる。装着箇所の移動が可能であることにより、粘着テープ当接部の移動も可能となり、糜爛の出現を未然に防ぐことが出来る。カテーテル固定部により、カテーテルを鼻周辺の皮膚より離して固定することが可能であることにより、鼻周辺の皮膚に糜爛が発現することを防ぐことができる。
また、第二発明によれば、Ｕ字型装着部およびカテーテル固定部に変形可能な金属を内蔵したので、鼻への装着性が向上し、鼻の外部のカテーテルを任意の方向に曲げた状態で保持することが出来る。
【発明を実施するための最良の形態】
【０００６】
この発明の一実施形態を、図１に示す。
カテーテル脱着部材２を２個備えたカテーテル固定部３がカテーテルを固定して、Ｕ字型装着部１に一体化されて設けられており、Ｕ字型装着部１は患者左小鼻４に装着されている。カテーテル固定部３およびＵ字型装着部１は変形可能な金属を内蔵した柔軟性に富んだシリコーンゴム製若しくは安価な樹脂製であり、装着部１の端部の内、左小鼻４の外側の皮膚に接する側の方は、左小鼻４の内側の皮膚に接する側よりも長くなっており、粘着テープ７によって患者の左小鼻４に固定されている。
【０００７】
「実施形態の効果」
この実施形態によれば、Ｕ字型装着部１とカテーテル固定部３の働きで、カテーテル６が患者の左小鼻４に固定される。したがって、使用する粘着テープを従来よりも小さくすることが可能となり、発現する糜爛の面積も従来よりも狭くすることが出来る。糜爛が発現しそうになったら、装着箇所を右小鼻５に変更することにより、糜爛の発現を未然に防ぐことが出来る。また、カテーテル固定部３により、カテーテルを鼻周辺の皮膚に接触させることなく固定できるので、鼻周辺の皮膚に糜爛が発現することを防ぐことができる。
【０００８】
「他の実施形態」
図１の実施形態では、Ｕ字型装着部１を左小鼻３に装着してあったが、図２の実施形態では、Ｕ字型装着部１はその両端部の長さを等しくして鼻中隔８に装着したものでも良い。
【図面の簡単な説明】
【０００９】
【図１】この発明の一実施形態を示す斜視図である。
【図２】この発明の他の実施形態を示す斜視図である。
【図３】従来技術を示す斜視図である。
【符号の説明】
【００１０】
１  Ｕ字型装着部              ２  カテーテル脱着部材
３  カテーテル固定部          ４  左小鼻
５  右小鼻                    ６  カテーテル
７  粘着テープ                ８  鼻中隔
【図１】
2005118204.tif 000003
【図２】
2005118204.tif 000004
【図３】
2005118204.tif 000005
(57)【要約】【課題】開封後の包装材が、使用済み生理用ナプキンを全て包み隠し、経血等が目に付きにくく、臭いの拡散が軽減し、トイレ清掃者に与える不快感を軽減できる包装生理用ナプキンを提供すること。【解決手段】包装材１の幅をナプキン本体２の２倍以上とする。包装材１は防臭機能を有し、例えば絵柄を施して不透過機能を持たせ、ナプキン本体２の２倍の幅を持たせることで、使用済みナプキンを全て包み隠し、経血等を側面からも目につきにくくし、臭いの拡散を軽減することが出来る。包装材１には例えば「ありがとう」等の文字を施すことで、トイレ清掃者への感謝、ねぎらいの気持ちを伝えることが出来る。【選択図】図１
2005118205.tif 000002
【特許請求の範囲】
【請求項１】
開封後の包装材が、使用済み生理用ナプキンを全て包み隠すことの出来る包装生理用ナプキンであって、ナプキン本体と、前記ナプキン本体に設けられた粘着層により粘着された、前記ナプキン本体の少なくとも２倍の幅を持ち、不透過機能および防臭機能を有する前記包装材と、を具備し、前記包装材は、長手方向に沿う両側部が前記ナプキン本体の長手方向に沿って前記ナプキン本体の肌当接面に折り返され、前記ナプキン本体と共に長手方向に三つ折り若しくはロール状に巻いて止められたものであることを特徴とする前記包装生理用ナプキン。
【請求項２】
前記包装材は、長手方向一方端部にシャーリングを施し伸縮性を持たせ、前記ナプキン本体と共に長手方向に三つ折り若しくはロール状に巻いた前記包装材に覆い被せて止めることを特徴とする請求項１記載の包装生理用ナプキン。
【発明の詳細な説明】
【技術分野】
【０００１】
この発明は、個包装された生理用ナプキンに関する。
【背景技術】
【０００２】
従来の包装生理用ナプキンは、図３に示すように、ナプキン本体よりも上下左右にそれぞれ約２ｃｍずつ長い包装材によって個包装されたものであるか、または、図４に示すように、袋状部を備えた包装材によって個包装されたものである。
【発明の開示】
【発明が解決しようとする課題】
【０００３】
しかしながら、以上の技術によれば、図３の場合、開封後の包装材が、使用後のナプキン本体全てを包み隠すには横幅が足りないことにより、経血等が横方向から見え、臭いも拡散しやすく、トイレ清掃者に不快感を与えることが多かった。また図４の場合、使用後のナプキン本体を袋状部に入れる時、ナプキン本体の粘着層が袋状部の内側に粘着し、ナプキン本体を袋状部の奥まで入れることが困難である。
そこで、この発明は、開封後の包装材が、使用後のナプキン本体全てを簡単に包み隠すことが出来、経血等が目につきにくく、臭いの拡散を軽減し、トイレ清掃者に与える不快感を軽減できる包装生理用ナプキンを提供することを課題とする。
【課題を解決するための手段】
【０００４】
以上の課題を解決するために、第一発明は、包装生理用ナプキンの包装材にナプキン本体の少なくとも２倍の幅を持たせ、不透過機能および防臭機能を有するものとし、その包装材は、長手方向に沿う両側部が前記ナプキン本体の長手方向に沿ってナプキン本体の肌当接面に折り返され、ナプキン本体と共に長手方向に三つ折り若しくはロール状に巻いて止められたことを特徴とする包装生理用ナプキンである。
また、第二発明は、包装材の長手方向一方端部にシャーリングを施し伸縮性を持たせ、ナプキン本体と共に長手方向に三つ折り若しくはロール状に巻いた包装材に覆い被せて止めることを特徴とする包装生理用ナプキンである。
【発明の効果】
【０００５】
第一発明によれば、包装生理用ナプキンの包装材に不透過機能および防臭機能を持たせ、ナプキン本体の少なくとも２倍の幅を持たせたので、使用済み生理用ナプキンを全て包み隠すことが出来、横方向からも経血等が目につきにくく、臭いの拡散も軽減され、トイレ清掃者に与える不快感も軽減することが出来る。
第二発明によれば、包装材の長手方向一方端部にシャーリングを施し伸縮性を持たせたので、使用済みナプキンを包んだ包装材にシャーリングを施した端部を覆い被せることで簡単に止めることが出来る。
【発明を実施するための最良の形態】
【０００６】
この発明の一実施形態を、図１に示す。
包装材１は、消臭剤または芳香剤を施すか、若しくは気密性のある素材を使用することで防臭機能を持たせ、また文字および絵柄を施して不透過機能を持たせた、ナプキン本体２の２倍の幅を持つ不織布であり、前記ナプキン本体２に設けられた粘着層により各々の長手方向の中心で粘着されてなり、前記包装材１は長手方向に沿う両側部３が前記ナプキン本体２の長手方向に沿って肌当接面側に折り返され、さらに前記ナプキン本体２と共にライン６、ライン７によって三つ折りされ、粘着テープ４で止められ、前記ナプキン本体２を包装している。
【０００７】
「実施形態の効果」
この実施形態によれば、包装生理用ナプキン開封後、不透過機能および防臭機能を有する包装材１がナプキン本体２の２倍の幅となり、使用済み生理用ナプキンを全て包み隠すことが出来る。したがって、従来横方向より目に入っていた経血等が目につきにくくなり、臭いの拡散も軽減することが出来、トイレ清掃者に与える不快感も軽減することが出来る。包装材１に施された文字により、前記トイレ清掃者への感謝、ねぎらいの気持ちを伝えることが出来る。
【０００８】
「他の実施形態」
図１の実施形態では、包装材１の幅はナプキン本体２の２倍であり、粘着テープ４によって止められていたが、図２の実施形態では、包装材１の幅は２倍以上でナプキン本体２の肌当接面上で重ねさせ、シャーリングを施し伸縮性を持たせた包装材１の一方端部５により三つ折り後のライン６部に覆い被せて止めたものでもよい。
【図面の簡単な説明】
【０００９】
【図１】この発明の一実施形態を示す斜視図である。
【図２】この発明の他の実施形態を示す斜視図である。
【図３】従来技術１を示す斜視図である。
【図４】従来技術２を示す斜視図である。
【符号の説明】
【００１０】
１  包装材                  ２  ナプキン本体
３  包装材両側部            ４  粘着テープ
５  包装材一方端部          ６  ライン
７  ライン                  ８  袋状部
【図１】
2005118205.tif 000003
【図２】
2005118205.tif 000004
【図３】
2005118205.tif 000005
【図４】
2005118205.tif 000006
(57)【要約】【課題】神経を使わなくても容易に杖スタンドの杖スタンドの杖立て穴へ杖の先端を挿入できるようにする。【解決手段】杖立て本体５の上面５ａ及び底面５ｂを平坦面に形成する、平坦面に形成された前記上面５ａに杖立て穴７を設け、その杖立て穴７を、中央軸心へ向けて誘導する漏斗状に形成された誘導案内面９と、その誘導案内面９からの杖３を垂直状態で保持する所定深さの杖保持面１１とで形成する。【選択図】図１
2005118140.tif 000002
【特許請求の範囲】
【請求項１】
杖立て本体の上面及び底面を平坦面に形成し、その平坦面に形成された前記上面に杖立て穴を設け、その杖立て穴を、中央軸心へ向けて誘導する漏斗状に形成された誘導案内面と、その誘導案内面からの杖を垂直状態で保持する所定深さの杖保持面とで形成することを特徴とする杖スタンド。
【請求項２】
前記誘導案内面は、前記上面の外周縁から内側中心へ向かって下降傾斜する円弧面とその円弧面から前記杖保持面へ続くテーパ面の組合せからなることを特徴とする請求項１記載の杖スタンド。
【発明の詳細な説明】
【技術分野】
【０００１】
本発明は垂直状態で杖を保持する杖スタンドに関する。
【背景技術】
【０００２】
従来、杖を保持する杖スタンドに関しては多数の手段が提案されており、その１つに杖転倒防止キャップがある。
【０００３】
杖転倒防止キャップは、持ち運び可能となっていて、頂部を平坦面に切除した略四角錐の上面に、上下に長い杖挿入孔を設けた形状となっている。杖挿入孔は、杖の径より若干径大に作られていて、使用する時は、所定の場所に置いた杖転倒防止キャップの杖挿入孔に対して、上方から杖の先端を挿入することで保持されるようになる。
【０００４】
この場合、杖の先端と杖挿入孔とは対応する位置に真上から正しく位置決めされて始めて挿入可能となるが、一般に杖の使用はお年寄りや、身体の不自由な人が多く、杖挿入孔に対して真上から杖の先端を位置決めするのは大変面倒であり神経を使うため、使い勝手の面で望ましくない。
【特許文献１】登録実用新案公報  第３００２８９５号
【０００５】
【発明の開示】
【発明が解決しようとする課題】
【０００６】
杖は、上方の把手部をもって使用するところから、その上方の把手部をもって上下に長い杖の先端部を杖挿入孔に位置決めするには神経を使う。特に、その位置決めは真上から行なわないと挿入が困難となる等の問題があった。
【課題を解決するための手段】
【０００７】
そこで、本発明は前記問題点の解消を図るために、杖立て本体の上面及び底面を平坦面に形成し、その平坦面に形成された前記上面に杖立て穴を設け、その杖立て穴を、中央軸心へ向けて誘導する漏斗状に形成された誘導案内面と、その誘導案内面からの杖を垂直状態で保持する所定深さの杖保持面とで形成することを特徴とする。
【発明の効果】
【０００８】
本発明の杖スタンドによれば、開口径が広くなる漏斗状に形成された誘導案内面によって杖の先端を真上からは無論として斜め上方からであっても容易に杖立て穴へ挿入することができる。同時に、挿入された杖の先端は円滑に誘導案内された後、杖保持面によってほぼ垂直状態で保持することができる。この結果、杖の倒れモーメント発生しないため、杖スタンドを重量のある大きい形状にしなくても安定した杖の保持状態が得られると共に、杖を持つことで安全に立上がることが可能となる。
【発明を実施するための最良の形態】
【０００９】
前記誘導案内面を、前記上面の外周縁から内側中心へ向かって下降傾斜する円弧面とその円弧面から前記杖保持面へ続くテーパ面の組合せとすることで、杖先端の挿入開口を大きくすると共に、杖立て穴の形成にあたって削り取る量を少なくしウエイトとなる杖立て本体の重量を確保する。
【実施例１】
【００１０】
以下、図１乃至図３の図面を参照しながら本発明の実施形態について具体的に説明する。
【００１１】
図１は本発明にかかる杖スタンド１を示している。杖スタンド１の材質は基本的には杖３の材質と対応させることが望ましく、この実施形態では木が使用されているが、ゴム、合成樹脂等の材質であってもよい。
【００１２】
杖スタンド１は、杖立て本体５の上面５ａ及び底面５ｂが平坦面に形成された円錐台に作られている。この場合、杖立て本体５は三角錐台、四角錐台の形状であっても可能である。
【００１３】
平坦面に形成された前記上面５ａには、上下に長い杖立て穴７が設けられている。杖立て穴７は、中央軸心へ向けて誘導する漏斗状に形成された誘導案内面９とその誘導案内面９からの杖３を垂直状態で保持する所定深さの杖保持面１１とで形成されている。
【００１４】
杖保持面１１は、杖３の先端部の径より若干径大に形成され、深さは杖３の先端部が挿入された時に、垂直状態に保持されることで倒れモーメントが発生しない長さに設定されている。
【００１５】
誘導案内面９は、前記上面５ａの外周縁から内側中心へ向かう円弧面９ａとその円弧面９ａから中央の杖保持面１１へ続くテーパ面９ｂの組合せからなっている。誘導案内面９の円周壁面は、円滑に誘導できるよう例えば、テフロン（登録商標）等の手段によって摩擦係数の小さい表面処理加工することが望ましい。
【００１６】
これにより、図１仮想線で示すように杖３の先端を挿入する挿入開口となる受け入れ口を大きくすることができると共に、杖３を斜め上方から挿入する時でも、何等支障なく中央の杖保持面１１へ向けて円滑な誘導が可能となる。と同時に、仮想線で示すようにテーパ面１３だけで誘導案内面９を構成するのに比べて、α領域分を削りとる削り取り量を少なくすることが可能となるため、その分、重量がアップし、安定性が向上するメリットが得られる。
【００１７】
なお、円弧面９ａの形成にあたって、この実施形態では前記上面５ａの外周縁から直接内側中心へ向かう形状となっているが、外周縁から一旦水平に延長された後に内側中心へ向う平坦面を備える形状であってもよい。
【００１８】
このように構成された杖スタンド１によれば、所定の場所にセットすることで杖スタンドとしての使用が可能となる。
【００１９】
一方、杖３の先端を杖立て穴７へ挿入することで、図３に示すように、杖３は杖スタンド１によって支持されるようになる。
【００２０】
この場合、杖３の先端を杖立て穴７へ挿入する際に、真上からは無論として図１仮想線で示すように杖３の先端が斜め上方から挿入された時でも中央の杖保持面１１へ向けて円滑に誘導挿入されるため、お年寄りや身体に障害をもった人でも神経を使うことなく容易に杖立て穴７へ挿入することが可能となる。
【００２１】
一方、杖立て穴７によって支持された杖３はほぼ垂直状態で保持されるため、倒れモーメントは起らず、杖スタンド１を重量のあるものにしなくても安定した支持状態が得られる。しかも、杖３を持つことで容易に立上がることができる。
【図面の簡単な説明】
【００２２】
【図１】この発明にかかる杖スタンドの概要切断面図。
【図２】杖スタンドの概要平面図
【図３】杖スタンドによって杖が支持された状態の概要説明図。
【符号の説明】
【００２３】
１…杖スタンド
３…杖
５…杖立て本体
５ａ…上面
５ｂ…底面
７…杖立て穴
９…誘導案内面
９ａ…円弧面
９ｂ…テーパ面
１１…杖保持面
【図１】
2005118140.tif 000003
【図２】
2005118140.tif 000004
【図３】
2005118140.tif 000005
(57)【要約】【課題】  鹿の侵入対策として高さの高いフェンスを設置する必要がなく、山岳地などの急傾斜地が連続しフェンス自体の設置が不可能であった箇所においても、安価で簡単に鹿の侵入を防止できる。【解決手段】  ライオンの糞または同等の臭い物質を染み込ませた紐状もしくは粒状のものを鉄道または高速道路のフェンスもしくはその敷地周辺に敷設するための物品とその敷設方法を提供するものである。【選択図】  図２
2005118023.tif 000002
【特許請求の範囲】
【請求項１】
ライオンの糞または同等の臭い物質を染み込ませた紐状のものを鉄道または高速道路のフェンスもしくは敷地周辺に敷設するためのロープ。
【請求項２】
ライオンの糞または同等の臭い物質を単独または他の物質に混合させた粒状のものを鉄道または高速道路の敷地周辺に散布するための散布剤。
【発明の詳細な説明】
【発明の詳細な説明】
【技術分野】
【０００１】  本発明は、鉄道または高速道路の敷地へ鹿・日本カモシカなど跳躍力のある動物が侵入するのを防ぎ、簡単で広範囲に効果の得られる物品の製作と敷設方法に関するものである。
【背景技術】
【０００２】  鉄道または高速道路の敷地周辺には、人や動物の侵入防止のためや境界確認のため各種フェンスが設置されている、また一部の区間においてはフェンス自体設置されない箇所もある。【０００３】  フェンスが設置されていても、その構造から人やイヌ・タヌキ・キツネなどには効果があるが鹿など跳躍力のある動物についてはフェンスを飛び越えて侵入し、汽車や車と衝突し大きな事故を起こしたケースが多々報告されている。【０００４】  鹿の侵入対策として従来よりも高さの高いフェンスが要求され、高額な経費を必要とした。
【発明が解決しようとする課題】
【０００５】  鹿の侵入対策として従来よりも高さの高いフェンスを設置する必要がなく、安価で簡単に鹿の侵入を防止する物品の提供とその敷設方法であり、またフェンスの設置されていない箇所においても簡単に侵入防止対策が実施できることである。
【０００６】  特に、山岳地などの急傾斜地が連続する箇所で、フェンス自体の設置が不可能であった箇所においても簡単に侵入防止対策が実施できることである。
【発明の目的】
【０００７】  そこで本発明の目的は鹿の侵入防止策として新たにフェンスを設置することなく、広範囲かつ簡単に侵入防止効果の得られ物品の提供と敷設方法を提供することにある。
【課題を解決するための手段】
【０００８】  上記目的をするために講じた本発明の手段は次のとおりである。
【０００９】  第１の発明にあっては、ライオンの糞または同等の臭い物質を染み込ませた紐状のものを鉄道または高速道路のフェンスもしくは敷地周辺に敷設するためのロープである。
【００１０】  第２の発明にあっては、ライオンの糞または同等の臭い物質を単独または他の物質に混合させた粒状のものを鉄道または高速道路の敷地周辺に散布するための散布剤である。
【発明を実施するための最良の形態】
【００１１】  本発明を図面に示した実施の形態に基づき詳細に説明する。【００１２】  図１は本発明に係るロープの構造の断面図、図２はロープを既設のフェンスに敷設した状況を示す説明図、図３はロープをフェンスが設置されていない箇所に敷設した状況を示す説明図である。【００１３】  まず図１を参照して、ロープの構造を説明する。【００１４】  ロープは  材質・形状・太さ・は特に定めないが成分を充分浸透させ一定期間臭いを保持できるものであればなんでもよい。【００１５】  次に図２及び図３を参照して、ロープ１の敷設状況について説明する。【００１６】  図２は、従来のフェンスが設置された箇所にロープが所要の金具を用いて取り付けてあり、ロープの取り付け位置はフェンスの上段・中段・下段のいずれの位置でもかまわない、効果および設置する作業または保守管理する面から考慮すると、上段が望ましく、また金具は所定のものでなく針金、紐など簡単で安価に入手するもので充分である。【００１７】  図３は、フェンス等の防護柵が設置されていない箇所にロープを敷設した状況を示していて、専用の支柱にロープを取り付けているが、敷地内の樹木等に巻き付けても充分であり、また地面にロープを這わせてもよいが、その効果及び効能の耐久性から判断すると地上５０ｃｍ以上に敷設したほうが望ましい。【００１８】  次に図４及び図５を参照して粒状物の敷設状況について説明する。【００１９】  図４は粒状物の平面図である、その大きさは直径５ｃｍから２０ｃｍでライオンの糞と昇華材とが混合された粒状とした物である。【００２０】  粒状物は、ライオンの糞を含んで入れば昇華材に限らず土、科学物質など何でもよい。【００２１】  雨水によりライオンの糞の臭いが簡単に流れ出さないもので、緩行的に昇華するもがよく、また粒状物自体が流出しない大きさが望ましい。【００２２】  図５は、粒状物を散布した状況を説明した状況を示す。【００２３】  この場合鉄道、高速道路の敷地に沿って溝を掘り、その中に粒状物を散布するか、一定の間隔で穴を掘り散布する方法や、頻繁に対策が可能であれば直接地面に散布する方法もあり、また布袋等にいれ樹木・フェンス等につり下げる方法もある。
【発明の効果】
【００２４】  鹿、日本カモシカなどの動物はライオンの糞の臭いを本能的に非常に嫌うことから、フェンスまたは敷地境界付近に近寄らない。
【００２５】  従って従来のフェンスの高さで充分であり、かつフェンスが設置出来ない箇所において効果が発揮されるとともに安価で容易に鹿の侵入対策が可能である。
【００２６】  ロープまたは粒状物は永久的に臭いを発することができないため、定期的に交換または散布する必要があるが、臭いの発生を緩行することにより長く効果を保持できるとともに、その作業自体極めて容易である。
【図面の簡単な説明】
【図１】本発明のロープの断面図である。
【図２】ロープの敷設状況の立面図である。
【図３】ロープの別な敷設状況の立面図である。
【図４】本発明粒状物の平面図である。
【図５】粒状物が入った布袋の平面図である。
【符号の説明】
１  ロープ
２  粒状物
３  既設フェンス体
４  支柱
５  粒状物が入った布袋
【図１】
2005118023.tif 000003
【図２】
2005118023.tif 000004
【図３】
2005118023.tif 000005
【図４】
2005118023.tif 000006
【図５】
2005118023.tif 000007
(57)【要約】【課題】  産業廃棄物として処分に困窮している農業用ビニールシートに替るシートとして土に帰り、堆肥として利用できるシートを提供する。【解決手段】  果樹等の剪定枝を細かいチップに粉砕し、これに苛性ソーダを加えて煮沸して叩解し、エンドレスの目の細かい金網上に流して乾燥し厚さ０．０３〜２ｍｍ前後のシート状体を得る。このシートは保水性、保温性があり雑草の発生を防止し、しかも放置しておいても土に帰り堆肥となる。このため産廃物の処理に有効に利用できる。【特許請求の範囲】
【請求項１】
果樹の剪定枝をチッパーでチップにして乾燥し、該乾燥したチップに水酸化ナトリウムを加えて煮沸する工程、その後水洗いして水酸化ナトリウムを流し、打織機で叩解する工程。
ビーター機で更に叩解して繊維を取り出し、再度水洗いしてリグニンを流す工程。
上記工程を経てその後目の細い金網上に流し込み、厚さ０．０３〜２ｍｍにして乾燥成形することを特徴とした農業用マルチシート。
【請求項２】
ケナフ、楮、三椏などの紙原料を使用するときは請求項１に記載の農業用マルチシートより良質のものが出来る。
【請求項３】
製材工場から出る樹皮、屑材、間伐材、雑草、古紙など地球上のすべての植物を原料とする請求項１に記載の農業用マルチシート。
【請求項４】
コンニャク粉、食用油を使って防水加工処理を施した請求項１に記載の農業用マルチシート。
【発明の詳細な説明】
【技術分野】
【０００１】  本発明は、剪定枝、屑材、雑草、間伐材、古紙など地球上のすべての植物を原料とする農業用マルチシートに関する。
【背景技術】
【０００２】  従来の農業用シートはビニールやポリエチレンシートを使用していて、使用後は焼却処分としていた。しかし、この焼却処分はダイオキシンを発生して環境破壊につながる。また使用後のビニールシートは泥などで汚れがひどく、作業中の足跡等で穴があき、破れたりしてボロボロになってこの処理に困っているのが現況である。
【発明の開示】
【発明が解決しようとする課題】
【０００３】  農業用として使用されているビニールシートやポリエチレンシートは莫大な量で、これらの使用後のものは泥まみれで作物の植穴、太陽光線による劣化分解でボロボロになり畑から取り出して産業廃棄物収集所へ運ぶのにも梱包なので苦労している。
【課題を解決するための手段】
【０００４】  発明者はこの点に鑑み、鋭意研究の結果本発明に到達したものであって、本発明は果樹の剪定枝を原料とし、これをチッパーで砕き、水酸化ナトリウ厶（苛性ソーダ）で煮沸して後水洗いをして水酸化ナトリウムを流して叩解し繊維を取り出し、再度水洗いしてリグニンを流して後、細い網目の上に流し込み乾燥成形することによって本発明のシートが得られるものである。【０００５】  上記のように本発明の材料は、果樹の剪定枝を主に使用しているが、勿論従来の和紙材料であるケナフ、楮、三椏などでもよく、この方が製品としては良質であるが、本発明品は農業用としてのシートである以上大量に使用し、同等の効果が得られればこのような原料よりは、前述の果樹の剪定枝や製材工場からの樹皮や一般の雑草の方が産廃物の利用として有意義である。【０００６】  この原理は和紙の工程と同じですが、和紙は漉くのでありますが、本発明は水に溶かした紙料を流しこむのです。紙は撥水作用により地下に浸透せず、雨に弱く、すぐに破れますが、本発明の農業用マルチシートは植物繊維だけで丈夫で破けることがありません。
【発明の効果】
【０００７】  本発明の農業用マルチシートは、そのままで土壌微生物によって堆肥化される。即ちこのシートは有機質肥料となり、土を肥沃にし、取除く手間をはぶき労力の節約となり大規模農業に役立つことができる。【０００８】  ビニールやポリエチレンシートは雨水を透さず防水作用により地表を流れます。
そして、このシートは雨水を貯えて保水性に優れ、土壌が乾燥したときには水分を農作物に補給し、降雨のときは透水性に優れ、土壌に充分水を貯えることができる。且つ蒸発を防ぎ土壌水分保持に役立つ。農作物の必要に応じて順応することができる。
【発明を実施するための最良の形態】
【０００９】  本発明に使用する原材料は果樹の剪定枝以外では街路樹や間伐材も同様に使用でき、さらには河川の清掃の際に出る雑木や雑草の刈草、道路の脇の雑木、雑草の刈草、公園などの剪定伐採枝等も利用でき環境保全、環境美化に貢献できる。
【実施例】
【００１０】  近年農業は利潤の追求のため、化学肥料、農薬の使い過ぎ、利便性や機械化により土壌はやせ劣え、土壌の汚染で将来何も農作物ができなくなる土地ができるものと危惧される。【００１１】  本発明はそれを解決して土壌にも植物繊維を与えることによって肥沃な土地となる。即ち雨が降ると土壌の浸蝕がおこり、我が国のような山や段々畑など高低のはげしい土地では表土の肥えた土が河川に流れる。【００１２】  その点本発明は土壌の浸蝕を防ぎ、雨水を貯えることができ、作物がこれを利用して雑草の発生をおさえることができる。ウッドチップのマルチと紙のマルチのよいところを兼ね備えたものであります。【００１３】  本発明の農業用マルチシートの目的及び特徴は、
▲１▼  ビニールシートやポリエチレンシートの焼却によるダイオキシンの大気汚染による環境破壊を防ぐこと。
▲２▼  産業廃棄物の利用（果樹剪定枝、雑木、雑草の利用）
▲３▼  石油資源の節約
▲４▼  再製紙の利用
2005118024.tif 000002
ができる。
▲６▼  土地を肥沃なものにできる。
▲７▼  雨水を貯え地下水の涵養。
▲８▼  街路樹、公園、河川、道路の伐採枝の利用、雑木・雑草を利用して環境を美化することができる。
【産業上の利用可能性】
【００１４】  本発明は上述のように地球上のあらゆる植物繊維を利用することができ、しかもシートはそのまま土に帰って堆肥となるため、その利用価値はきわめて大きい。
【図面の簡単な説明】
【００１５】
【図１】  本発明の農業用シートの一部を裁断した平面図
【図２】  上記の参考写真
【符号の説明】
【００１６】          （１）…繊維物
（２）…泥状化固化物
Ａ…シート
【図１】
2005118024.tif 000003
【図２】
2005118024.tif 000004
(57)【要約】      （修正有）【課題】今まではコーヒーとはコーヒー豆を挽きコーヒーを沸かして飲む飲料であった。コーヒー飲料を元にして新しい飲料を造ることを考えた。【解決手段】従来のコーヒーにガスを注入して、ガス入りのコーヒー飲料製品とした。ガスを加えることにより、さわやかで喉越しの良いコーヒー飲料が得られた。さらにガス入りコーヒー飲料では砂糖を多めにしたほうが味は良くなる。従来のコーヒー飲料にガスを加えることにより、今までにない新しい飲物ができたわけである。【選択図】図１
2005118029.tif 000002
【特許請求の範囲】
【発明の詳細な説明】
【技術分野】コーヒー飲料
【背景技術】従来の缶コーヒー・缶ジュース・ガス入り缶ジュースを比べて参考とした。
【発明の開示】
【発明が解決しようとする課題】まず缶コーヒー・缶ジュースそしてガス入りの缶ジュースを飲み比べてみた、それから缶コーヒーにガスを注入してガスを加えたガス入りの缶コーヒー作り、それを呑んでみた、ガスを入れた事により今までには無いガス入りのコーヒーが発明された。従来のコーヒーとはただ単にコーヒーを沸かせて飲む飲料であったが、それにガスを加えることにより今までに無い新しい飲み物としてのガス入りのコーヒーが発明された。実験をしてみると今までのコーヒーは砂糖を入れないブラックコーヒーやミルクや砂糖を入れたコーヒーがあるがこのガス入りのコーヒーでは砂糖を多くした方が味は良いと思われる。
【課題を解決するための手段】従来のコーヒー製品にガスを注入してガス入りのガス入りコーヒー製品を製造した。コーヒーにガスを加えることことである。
【発明の効果】従来に無い新しい飲料が発明され新しい飲料となった。
【発明を実施するための最良の形態】現在出回っておる缶とかビンの容器を使用して製品を普及したいと思う。
【実施例】このガス入りのコーヒーを実験的に数人に飲んでもらいその結果、この製品にはさわやかさがあり喉越しの良さも良いと認められた。
【産業上の利用可能性】この製品は広く多くの人々に飲まれると思われる。
【図面の簡単な説明】
【図１】従来のコーヒー飲料にガスを加えコーヒー飲料をガス入りコーヒー飲料にする工程の姿図である。
【符号の説明】
（イ）従来から在るコーヒーの製品
（ロ）ガスをコーヒーに注入する作業である。（に）はガスである。
（ハ）ガスの入ったガス入りコーヒー飲料製品
【図１】
2005118029.tif 000003
(57)【要約】【課題】  骨密度を計測する際の、接触媒質（ゼリー）を塗り込む作業の簡略化。【解決手段】  超音波を利用して骨粗しょう症の進行状態を評価する装置において、計測する前に、ローラー１の間に測定部位（踵）を挿入し，該測定部位（踵）に接触媒質（ゼリー）塗布する装置で、該ローラーの外周はスポンジ状の材質で構成されており、回転する際、受け皿２に予め入れられている接触媒質（ゼリー）３を吸着させ、測定部位（踵）に接触媒質（ゼリー）を容易に塗布することができる装置。【選択図】      図１
2005118065.tif 000002
【特許請求の範囲】
【請求項１】
超音波を利用して骨粗しょう症の進行状態を評価する装置において、計測する前に、測定部位（踵）に接触媒質（ゼリー）を容易に塗ることができる装置で、２個のローラー、接触媒質（ゼリー）を入れておく受け皿，接触媒質（ゼリー）で構成されたことを特徴とする接触媒質（ゼリー）塗布装置。
【請求項２】
超音波を利用して骨粗しょう症の進行状況を評価する装置において、計測する前に接触媒質（ゼリー）を塗る装置で、踵を抜き差しする工程、ローラーが自然に回転する工程、ローラーに付着した接触媒質（ゼリー）を塗る工程を含むことを特徴とする接触媒質（ゼリー）塗布装置。
【請求項３】
請求項１の装置のローラーは、外周がスポンジ状の材質で構成されており、回転する際に、受け皿に予め入れられている接触媒質（ゼリー）を付着させることができる機能をもつことを特徴とする接触媒質（ゼリー）塗布装置。
【発明の詳細な説明】
【技術分野】
【０００１】
本発明は超音波を利用して骨粗しょう症の進行状態を評価するに際し、超音波を被検者の測定部（踵骨）へ安定に送波する超音波骨密度評価装置において、計測の前に、測定部位に接触媒質（ゼリー）を塗る装置に関するものである。
【背景技術】
【０００２】
高齢人口の増加に伴い、日常生活の中で僅かな負荷によって骨折しやすくなる骨粗しょう症患者の急増は医療・介護分野において大きな問題となっている。このような状況の中で、超音波を利用して計測する場合には、超音波を透りやすくするために、水中で行う、ゼリーを使用して行う、もしくは水中環境と同等な状況が必要である。
【０００３】
従来は、計測する前に接触媒質（ゼリー）を手で塗り込んでいた。
【０００４】
また、発明人等は使い捨て接触媒質付着シートなどを提案している。
【特許文献１】特開２００３−６１９６０号公報
【発明の開示】
【発明が解決しようとする課題】
【０００５】
計測の際に、接触媒質（ゼリー）を手で塗りこむ必要があり、計測の前処理の時間と労力がかかるという問題がある。また、各々の人が接触媒質（ゼリー）を塗っているので、塗り方にバラツキが生じる問題もある。
【課題を解決するための手段】
【０００６】
超音波で計測する前、測定部位（踵）に対して、容易に接触媒質（ゼリー）を塗布させることができるようにする。
【０００７】
具体的には、接触媒質（ゼリー）塗布装置は、２個のローラー、接触媒質（ゼリー）を入れておく受け皿，接触媒質（ゼリー）で構成されており、計測する前に、測定部位（踵）を接触媒質（ゼリー）が付着したローラーの間に挿入し、接触媒質（ゼリー）を塗布することができるようになっている。
【０００８】
前記ローラーの外周をスポンジ状の材質にすることで、接触媒質（ゼリー）を付着させやすくする。また、人体に触れる感触として優しさの持ったものとなる。
【発明の効果】
【０００９】
本発明は、以上説明したように構成されているので、以下に記載されるような効果を奏する。
【００１０】
本発明である前記接触媒質塗布装置によって、計測毎の手で塗り込む時間、労力が節減できる。
【００１１】
また、踵の抜き差しをするだけなので、容易に接触媒質を塗布することができるようになる。
【００１２】
各々の人が同じように接触媒質（ゼリー）を付着させることができ、バラツキがなくなる。
【実施例】
【００１３】
本発明の超音波骨密度測定装置に使用する、前記足の測定部位（踵）に接触媒質（ゼリー）を塗布する装置を図面に基づき具体的に説明すると、図１において、１はローラー、２は接触媒質（ゼリー）を入れておく受け皿、３は接触媒質（ゼリー）である。
【００１４】
前記接触媒質塗布装置の２個のローラー１の間に踵を挿入すると、ローラーが自然に回転する機構となっている。
【００１５】
前記ローラー１の外周は、スポンジ状の材質で構成されており、回転する際、受け皿２に予め入れられている接触媒質（ゼリー）３を吸着して、測定部位（踵）に塗布される。
【００１６】
接触媒質（ゼリー）３を塗布した後、測定部位（踵）を図２に示すように超音波骨密度測定装置に挿入し、計測を行う。
【図面の簡単な説明】
【００１７】
【図１】接触媒質（ゼリー）塗布装置の断面図の説明図である。
【図２】骨密度測定装置に被検者が足をのせた様相を示した説明図である。
【符号の説明】
【００１８】
１  ローラー
２  受け皿
３  接触媒質（ゼリー）
【図１】
2005118065.tif 000003
【図２】
2005118065.tif 000004
(57)【要約】【課題】  高齢者や子供がつまずく恐れがあるため、室内に設けられている、ドアの段差は３センチ程度のものが多い。スリッパ、サンダルの高さは通常５〜８センチであり、ドアの前に脱ぎ置くとドアの開閉で移動するため、ドアからすこし離れた所に置くことになる。当履物は高さを低くすることができ、ドアの前にきちんと脱ぎ揃える事ができるものを提供しようとするものである。【解決手段】  履物の甲被１に板状のツメ２を設け、そのツメ２をツメ掛部３に掛ける際、収まりをよくする為、ツメ２の先端をへの字に曲げる。  履物の底部の表皮４に適度な位置に、ツメ掛部３を設け、そのツメ掛部３の入り口は、ツメ２が挿入しやすいように、窪み６を設ける。【選択図】図２
2005118066.tif 000002
【特許請求の範囲】
【請求項１】
履物の甲被に板状のツメを設け、前記ツメの先端をへの字に曲げ、履物の底部の表皮に適度な位置に、ツメ掛部を設け、前記ツメ掛部の入り口に窪みを設けた、ことを特徴とする、スリッパ、サンダル。
【発明の詳細な説明】
【技術分野】
【０００１】
この発明は、スリッパ、サンダルなどの高さを変えることができる履物に関するものである。
【背景技術】
【０００２】
従来、スリッパ、サンダルに関しては様々な形状のものが考案されているが、その高さを変えることができるものが少なかった。
【特許文献１】特開平８−１７３２１０
【発明の開示】
【発明が解決しようとする課題】
【０００３】
高齢者や子供がつまずく恐れがあるため、室内に設けられている、ドアの段差は３センチ程度のものが多い。スリッパ、サンダルの高さは通常５〜８センチであり、ドアの前に脱ぎ置くとドアの開閉で移動するため、ドアからすこし離れた所に置くことになる。当履物は高さを低くすることができ、ドアの前にきちんと脱ぎ揃える事ができるものを提供しようとするものである。
【課題を解決するための手段】
【０００４】
前記課題を達成する為、履物の甲被１に板状のツメ２を設け、そのツメ２をツメ掛部３に掛ける際、収まりをよくする為、ツメ２の先端をへの字に曲げる。
【０００５】
履物の底部の表皮４に適度な位置に、ツメ掛部３を設け、そのツメ掛部３の入り口は、ツメ２が挿入しやすいように、窪み６を設ける。
【発明の効果】
【０００６】
最近の住宅では、高齢化を考慮し、段差を避けるような構造となり、ドアなどの敷居でも段差を感じさせない、３センチ程度のものが多い。
当スリッパは、通常のスリッパに比べ、高さを３センチ程度まで下げることができ、ドアの前に脱ぎ揃えることができる。
さらに、携帯の際、スリッパの底面を向かい合わせて収納しても、６センチ程度であり、持ち運びでかさ張ることがなく、清潔である。
【発明を実施するための最良の形態】
【０００７】
本発明の実施の形態について、図面を参照して説明する。図１〜図３の形状は実施の形態の一例であり、解決手段に記された機能を果たすことができれば、種々の変形は可能である。
【０００８】
履物の甲被１に板状のツメ２を設け、そのツメ２をツメ掛部３に掛ける際、収まりをよくする為、ツメ２の先端をへの字に曲げる。ツメ２の材質は薄くて強度のある、金属であることが望ましいが、金属の場合は、ツメ２の先端で怪我をしないように、合成樹脂又はゴム等で薄いカバーを被せる。
合成樹脂でも強度があれば、ツメ２は甲被１と一体成型でもよい。
【０００９】
履物の底部の表皮４に適度な位置に、ツメ掛部３を設け、そのツメ掛部３の入り口は、ツメ２が挿入しやすいように、窪み６を設ける。
表皮４が薄く、ツメ２を掛ける部分に強度がなければ、底部の表皮４の下に薄い金属板を貼り付けて、補強することが望ましい。
製造コストを下げるには、表皮４に強度のある合成樹脂を用いて、ツメ掛部３を一体成型すればよい。
【００１０】
ツメの脱着は、甲被１の撓みを利用し、いくらか前に押すようにして、ツメ２を押し下げてツメ掛部３に掛ける。
ツメ２を外す際は、踵でスリッパの底部５を押さえながら、足裏でツメ２を押せば、簡単に外すことができる。
【図面の簡単な説明】
【００１１】
【図１】本発明の本体の平面図
【図２】本体のＡ−Ａ断面図
【図３】ツメを掛けたＡ−Ａ断面図
【符号の説明】
【００１２】
１  甲被
２  ツメ
３  ツメ掛部
４  表皮
５  底部
６  窪み
【図１】
2005118066.tif 000003
【図２】
2005118066.tif 000004
【図３】
2005118066.tif 000005
(57)【要約】      （修正有）【課題】乳幼児を抱っこ中に睡眠状態になった場合、それを寝具に移す際に、乳幼児の頭部を支えている腕を引き抜く時，その振動、摩擦等により乳幼児を目覚めさせることのない寝具を提供する。【解決手段】ゴム・スポンジ等弾力性を持つ素材を使用した構造部分２を通じて腕の入れ易い円筒状の空洞部分１を設ける。更に本体両横部に折りたたみ可能なクッション部分４を設ける。【選択図】  図１
2005118082.tif 000002
【特許請求の範囲】
【請求項１】
乳幼児が就寝中、首部に位置するところに円筒状の空洞部分を設けたことを特徴とする乳幼児用寝具。
【請求項２】
寝返りによりベビ−ベッド周囲の格子等への打撲をやわらげることを意図して、両横にクッションを設けたことを特徴とする請求項１記載の乳幼児用寝具。  
【発明の詳細な説明】
【技術分野】
【０００１】
この発明は、ベビーベッドに付属する、あるいは直に床上に置いて使用する乳児用寝具の形状に関する。
【背景技術】
【０００２】
通常の乳幼児用寝具の形状は、図４に示すように、単に直方体のようなものであった。
【発明の開示】
【発明が解決しようとする課題】
【０００３】
しかしながら、以上の技術によれば、例えば、乳幼児を抱っこ中に睡眠状態になった場合、それを寝具に移す際、乳幼児の頭部を支えている腕を引き抜く時にその振動、摩擦等により乳幼児を目覚めさせてしまうケースがある。そこで、この発明は、前記の振動、摩擦を回避すべし形状をもった乳幼児用寝具を提供することを課題とする。
【課題を解決するための手段】
【０００４】
以上の課題を解決するために第一発明は、寝具の乳幼児の首部に位置するところに円筒状の空洞部分を設けたことを特徴とする乳幼児用寝具である。また、第二発明は、寝具両横にクッションを設けたことを特徴とする乳幼児用寝具である。
【発明の効果】
【０００５】
第一発明によれば、寝具の乳幼児の首部に位置するところに円筒状の空洞部分を設けたことにより乳幼児の頭部を支えている腕をその円筒状の空洞部分に退避させることにより腕を引き抜く時の振動、摩擦等により乳幼児を目覚めさせてしまうことを防ぐ。
また、第二発明によれば、寝具両横にクッションを設けたことにより、ベビーベッドへの使用時には、乳幼児が寝返りによりベビ−ベッド周囲の格子等への打撲をやわらげることなり、さらには床へ直に置いて使用した場合に寝返りによる本体からの落下も想定しその衝撃を吸収することにもなる。
【発明を実施するための最良の形態】
【０００６】
この発明の一実施形態を、図１に示す。
寝具の本体は、本発明の形状上、ある程度の厚みを確保するために底面部をハッポースチロール等、上面部を従来どおりの綿、スポンジ等の素材で構成するものとし、乳幼児就寝時に乳幼児の首部に位置する場所へ円筒状の空洞部分１を設け、その上部に腕を進入させるための開口部を設ける、またその開口部を極力狭くし、なおかつ腕の進入を速やかに行うために、ゴム、スポンジ等の弾力性をもつ素材を使用した部分２（点線部分）を設ける。乳幼児を寝具に移す一連の動作完了後、安全上の配慮により円筒状の付属物３を設け空洞部分に挿入する。本体両横部に綿、スポンジ等の素材を利用した、クッション部分４を設け、矢印のように可動するものとする。携帯、収納を考慮し、本体を二つ折にするための溝部５を設ける。
【０００７】
「実施形態の効果」
この実施形態によれば、円筒状の空洞部分１を設けることにより抱っこ中に睡眠状態になった乳幼児を寝具に移す際、乳幼児の頭部を支えている腕を空洞部分１へ進入、退避させることにより腕を引き抜くことによって起こる振動、摩擦等により乳幼児を目覚めさせてしまうケースを回避する。当然ながら腕を進入させるためには空洞上部へ開口部を設けなければならないが、しかしながらその開口部の幅が広いと、例えば、まだ首の座らない乳児等への使用にあたって安全上の問題、更には、使用する側の違和感、抵抗感が思慮される。この問題を解消すべく、ゴム、スポンジ等弾力性を持つ素材を使用した構造部分２を設け、空洞上部の開口部の幅を極力狭くし、なおかつ腕の進入を速やかにする。付属物３は、安全上の配慮、空洞部分の強度等を考慮し空洞部分へ挿入するものである。本体両横部に設けられたクッション部分４は折りたたみ可能とし、ベビーベッドへ使用する際には、寝返りによるベビ−ベッド周囲の格子等への打撲をやわらげ、直に床上で使用した場合には寝返りによる本体からの落下も推測し、衝撃をやわらげることを目的とする。
【図面の簡単な説明】
【０００８】
【図１】この発明の一実施形態を示す斜視図である。
【図２】この発明の一実施形態を示す平面図である。
【図３】この発明の一実施形態を示す側面図である。
【図４】従来技術を示す斜視図である。
【符号の説明】
【０００９】
１  腕を進入させる空洞部分    
２  上部開口部の幅を狭くするための構造部分
３  空洞部分に挿入するための付属物
４  クッション部分
５  折りたたみの為の溝
【図１】
2005118082.tif 000003
【図２】
2005118082.tif 000004
【図３】
2005118082.tif 000005
【図４】
2005118082.tif 000006